(57)【要約】      （修正有）【課題】重量を増減可能な腕トレーニング器具を提供する。【解決手段】重量を増減可能な腕トレーニング器具の本体１０の数個の収容設置袋体１１側辺には可動封鎖部品２０を設置し、該可動封鎖部品を開くと、使用者の必要に応じて、重量増加部品を設置し、或いは取り出すことができる。該本体を使用者の腕に環状に設置し、しかも本体の数個の収容設置袋体上方に設置する結合部品３０を該本体反対面の結合面に結合することで、本体は使用者の腕に結合され、こうして多機能及び高い使用の利便性を達成することができる。【選択図】図１
0003145294.tif 000002
【実用新案登録請求の範囲】
【請求項１】
重量を増減可能な腕トレーニング器具は本体、可動封鎖部品、結合部品を含み、
該本体片面には数個の収容設置袋部を設置し、該本体の反対面には結合面を設置し、
該可動封鎖部品は該本体の数個の収容設置袋部側辺に設置し、
該結合部品は該本体の一端、すなわち該本体の数個の収容設置袋部上方に設置し、しかも該結合部品は該本体の結合面に結合することを特徴とする重量を増減可能な腕トレーニング器具。
【請求項２】
前記結合部品はマジックテープ（登録商標）式プラス嵌合部品で、該本体反対面に設置する結合面はマイナス嵌合部品で、該本体に設置するプラス/マイナス嵌合部品が粘着接合する時、該本体は環状を呈することを特徴とする請求項１記載の重量を増減可能な腕トレーニング器具。
【請求項３】
前記本体の片面には嵌合部品を設置し、該本体の反対面には嵌合部を設置し、該本体片面に設置する嵌合部品と反対面に設置する嵌合部の嵌合時、該本体は環状を呈することを特徴とする請求項１記載の重量を増減可能な腕トレーニング器具。
【請求項４】
前記本体は弾性テキスタイルベルトであることを特徴とする請求項１記載の重量を増減可能な腕トレーニング器具。
【請求項５】
前記可動封鎖部品はファスナー装置であることを特徴とする請求項１記載の重量を増減可能な腕トレーニング器具。
【請求項６】
前記収容設置袋部には硬貨を収容設置可能であることを特徴とする請求項１記載の重量を増減可能な腕トレーニング器具。
【請求項７】
前記収容設置袋部には金属ブロックを収容設置可能であることを特徴とする請求項１記載の重量を増減可能な腕トレーニング器具。
【請求項８】
前記収容設置袋部には包装金属粉末を収容設置可能であることを特徴とする請求項１記載の重量を増減可能な腕トレーニング器具。
【考案の詳細な説明】
【技術分野】
【０００１】
本考案は重量を増減可能な腕トレーニング器具に関する。特にアスレチック機材に応用可能な重量を増減可能な腕トレーニング器具に係る。
【背景技術】
【０００２】
公知の腕用ウエイトトレーニング器具は図８に示すように、腕ベルト５０上に重量増加部品５１を固設する。
該重量増加部品５１は金属粉末で、しかも該腕ベルト５０一端には固定リング５２を嵌設し、該腕ベルト５０の反対端にはプラス/マイナス嵌合部品５３、５４を設置する。該プラス/マイナス嵌合部品５３、５４を設置する該腕ベルト５０の一端により、該腕ベルト５０に設置する該固定リング５２外側を通過し、該固定リング５２の腕ベルト５０を通過し反対側へと引き戻し、該腕ベルト５０一端に設置するプラス/マイナス嵌合部品５３、５４を相互に嵌合する。こうして該腕ベルト５０は環状を呈する(図示なし）。
しかし公知構造には以下の問題が存在する。
１．機能に制限がある：重量増加部品は腕ベルト上に固設されるため、重量増加部品の重量には制限があり、しかも腕のウエイトトレーニング用としてしか使用できない。
２．使用の便利性不十分：重量増加部品は腕ベルト上に固設されるため、取り外し、或いは様々な必要に応じて異なる重量の重量増加部品に交換することができない。
【考案の開示】
【考案が解決しようとする課題】
【０００３】
本考案が解決しようとする課題は、公知の腕ウエイトトレーニング器具を改善し、その機能に制限があり、使用の便利性不充分との問題を解決する重量を増減可能な腕トレーニング器具を提供することである。
【課題を解決するための手段】
【０００４】
上記課題を解決するため、本考案は下記の重量を増減可能な腕トレーニング器具を提供する。
重量を増減可能な腕トレーニング器具の本体片面には数個の収容設置袋部を設置し、該本体の反対面には結合面を設置し、しかも該本体の数個の収容設置袋部側辺には可動封鎖部品を設置し、該本体の数個の収容設置袋部上方には結合部品を設置し、該本体の数個の収容設置袋部側辺に設置する可動封鎖部品を開くことで、使用者の必要に応じて、重量増加部品を設置し、或いは取り出すことができ、
該本体を使用者の腕に環状に設置し、該本体の数個の収容設置袋部上方に設置する結合部品を該本体反対面の結合面に結合し、これにより該本体は使用者の腕に結合され、こうして多機能及び高い使用の利便性を達成することができる。
【考案の効果】
【０００５】
上記のように、本考案の重量増加部品は使用者の必要に応じて交換可能で、しかも該重量増加部品はまた硬貨に交換することもできるため、使用の多機能性を備える。さらにその重量増加部品は使用者の必要に応じて交換可能で、重量増加部品を取り外し或いは様々な必要に応じて異なる重量の重量増加部品に交換することができるため、高い使用の利便性を備える。
【考案を実施するための最良の形態】
【０００６】
本考案の前記の及び他の技術内容、特徴と機能について、以下に図を用い、最適実施例について詳細に説明する。但し、それら実施例は説明に用いるのみで、本考案を制限するものではない。
本考案重量を増減可能な腕トレーニング器具の立体組合せ、分解及び局部断面状態指示図である図１〜３に示すように、本考案重量を増減可能な腕トレーニング器具は本体１０、可動封鎖部品２０、結合部品３０を含む。
該本体１０片面には数個の収容設置袋部１１を設置し、該本体１０の反対面には結合面１２を設置し、しかも該本体１０は弾性テキスタイルベルトである。
該可動封鎖部品２０は該本体１０の数個の収容設置袋部１１側辺に設置する。
該結合部品３０は該本体１０の一端、すなわち該本体１０の数個の収容設置袋部１１上方に設置し、しかも該結合部品３０は該本体１０の結合面１２に結合する。
上記構造の対応により、本考案重量を増減可能な腕トレーニング器具を完成する。
【０００７】
本考案重量を増減可能な腕トレーニング器具の局部断面状態指示図である図３に示すように、該本体１０片面には数個の収容設置袋部１１を設置し、該本体１０の反対面には結合面１２を設置し、しかも該本体１０の数個の収容設置袋部１１側辺には可動封鎖部品２０を設置する(図１参照）。該本体１０の数個の収容設置袋部１１上方には結合部品３０を設置し、該本体１０を使用者の腕に環状に設置することで、該本体１０の数個の収容設置袋部１１上方に設置する結合部品３０を該本体１０反対面の結合面１２に結合し、これにより該本体１０は使用者の腕に結合され、高い使用の利便性を達成することができる。
【０００８】
本考案重量を増減可能な腕トレーニング器具の第一実施例参考図である図４に示すように、構造全体は図１〜３に示す構造と相同である。
但し、該本体１０一端の数個の収容設置袋部１１上方には嵌合部品３１を設置し、該本体１０の反対面には嵌合部１３を設置する。該本体１０を使用者の腕に環状に設置し、該本体１０の数個の収容設置袋部１１上方に設置する嵌合部品３１を該本体１０反対面の嵌合部１３に嵌合し、こうして該本体１０は使用者の腕に結合され、本考案の別の実用性を実現する。
【０００９】
本考案重量を増減可能な腕トレーニング器具の第二、三実施例参考図である図５、６に示すように、該本体１０の数個の収容設置袋部１１側辺に設置する可動封鎖部品２０は開くことができる。該可動封鎖部品２０はファスナー装置で、使用者の必要に応じて、重量増加部品４０を設置し、或いは取り出すことができる。
該重量増加部品４０は硬貨、金属ブロック或いは包装金属粉末等である。
運動時に数個の収容設置袋部１１内に硬貨を入れておけば、使用者は別に財布を携帯する必要はなく、或いは使用者はトレーニングの必要に応じて数個の収容設置袋部１１内の重量増加部品４０の重量を自身で改変することができる。こうして、別の実用性を実現することができる。
【００１０】
本考案重量を増減可能な腕トレーニング器具の使用状態参考図である図７に示すように、該本体１０を使用者の腕に環状に設置し、該本体１０の数個の収容設置袋部１１上方に設置する結合部品３０を該本体１０反対面の結合面１２に結合する。こうして該本体１０は使用者の腕に結合される。
以下に本考案の長所を記載する。
１．使用の多機能性を備える：重量増加部品は使用者の必要に応じて交換可能で、しかも該重量増加部品はまた硬貨に交換することもできる。
２．高い使用の利便性を備える：重量増加部品は使用者の必要に応じて交換可能で、重量増加部品を取り外し或いは様々な必要に応じて異なる重量の重量増加部品に交換することができる。
上記のように、本考案は上記諸機能及び目的を達成することができるため、実用新案の請求要件に符合している。
【図面の簡単な説明】
【００１１】
【図１】本考案の立体組合せ状態指示図である。
【図２】本考案の別の角度の指示図である。
【図３】本考案の局部断面状態指示図である。
【図４】本考案の第一実施例参考図である。
【図５】本考案の第二実施例参考図である。
【図６】本考案の第三実施例参考図である。
【図７】本考案の使用状態参考図である。
【図８】本考案の公知状態参考図である。
【符号の説明】
【００１２】
１０  本体
１１  収容設置袋部
１２  結合面
１３  嵌合部
２０  可動封鎖部品
３０  結合部品
３１  嵌合部品
４０  重量増加部品
５０  腕ベルト
５１  重量増加部品
５２  固定リング
５３  プラス嵌合部品
５４  マイナス嵌合部品
【図１】
0003145294.tif 000003
【図２】
0003145294.tif 000004
【図３】
0003145294.tif 000005
【図４】
0003145294.tif 000006
【図５】
0003145294.tif 000007
【図６】
0003145294.tif 000008
【図７】
0003145294.tif 000009
【図８】
0003145294.tif 000010